(57)【要約】【課題】携帯電話端末に非接触ＩＣカード機能を組み込んだ場合の、相互干渉を簡単に防止できるようにする。【解決手段】所定の局との間で双方向の第１の無線通信を行う第１の無線通信処理部１１０と、非接触で近接したリーダ／ライタとの間で双方向の第２の無線通信を行う第２の無線通信処理部１２０と、リーダ／ライタとの第２の無線通信の開始を検出した場合に第１の無線通信処理部での送信データの出力を一時停止させる制御部１１７とを備えた。【選択図】      図１
2004222198.tif 000002
【特許請求の範囲】
【請求項１】
所定の局との間で双方向の第１の無線通信を行う機能と、非接触で近接したリーダ／ライタとの間で双方向の第２の無線通信を行う機能とを実行する無線通信方法において、
前記リーダ／ライタとの第２の無線通信の開始を検出した場合に、前記所定の局との第１の無線通信での送信データの出力を一時停止させる無線通信方法。
【請求項２】
請求項１記載の無線通信方法において、
前記一時停止は、送信データを一時蓄積させるバッファへの送信データ入力を停止させる処理である無線通信方法。
【請求項３】
請求項２記載の無線通信方法において、
前記バッファに蓄えられたデータがなくなった場合でも、前記第１の通信によるパケットの送信は継続して行う無線通信方法。
【請求項４】
請求項３記載の無線通信方法において、
前記データがない状態で送信させるパケットは、最も低い伝送レートで送信する無線通信方法。
【請求項５】
請求項１記載の無線通信方法において、
前記第２の無線通信の終了を検出した場合に、送信データの一時停止処理を解除する無線通信方法。
【請求項６】
請求項１記載の無線通信方法において、
前記第２の無線通信は、前記リーダ／ライタからの電力波による電力で作動する無線通信方法。
【請求項７】
所定の局との間で双方向の第１の無線通信を行う第１の無線通信処理部と、
非接触で近接したリーダ／ライタとの間で双方向の第２の無線通信を行う第２の無線通信処理部と、
前記リーダ／ライタとの第２の無線通信の開始を検出した場合に、前記第１の無線通信処理部での送信データの出力を一時停止させる制御部とを備えた無線通信端末。
【請求項８】
請求項７記載の無線通信端末において、
前記制御部の制御による一時停止は、前記第１の無線通信処理部が備える送信データ一時蓄積用のバッファへの送信データ入力を停止させる処理である無線通信端末。
【請求項９】
請求項８記載の無線通信端末において、
前記制御部は、前記バッファに蓄えられたデータがなくなった場合でも、前記第１の通信によるパケットの送信を継続させる制御を行う無線通信端末。
【請求項１０】
請求項９記載の無線通信端末において、
前記第１の無線通信処理部でデータがない状態で送信させるパケットは、最も低い伝送レートのパケットである無線通信端末。
【請求項１１】
請求項７記載の無線通信端末において、
前記制御部は、前記第２の無線通信処理部での無線通信の終了を検出した場合に、前記第１の無線通信処理部での送信データの一時停止処理を解除する無線通信端末。
【請求項１２】
請求項７記載の無線通信端末において、
前記第２の無線通信処理部は、前記リーダ／ライタからの電力波を受信して得た電力で作動する無線通信端末。
【発明の詳細な説明】
【０００１】
【発明の属する技術分野】
本発明は、携帯電話端末に適用して好適な無線通信方法及び無線通信端末に関し、特に非接触ＩＣカード用の通信を行う機能を組み込んだ場合の技術に関する。
【０００２】
【従来の技術】
従来、非接触ＩＣカードを利用して、近距離でのデータ通信を行うことが各種実用化されている。例えば、鉄道等の乗車券として非接触ＩＣカードを使用することが行われている。具体的には、改札口に非接触ＩＣカードのリーダ／ライタを設置し、改札口を通過するときに、非接触ＩＣカードをリーダ／ライタに近接させて、非接触ＩＣカードに記憶されたデータを読み出して認証処理などを行うことが行われている。
【０００３】
このような非接触ＩＣカードとしては、バッテリを内蔵するタイプと、バッテリを内蔵しないタイプがあるが、取り扱いの容易性や寿命などの点から、バッテリを内蔵しないタイプが普及しつつある。バッテリを内蔵しない非接触ＩＣカードの場合には、リーダ／ライタ側から電力波を送り、ＩＣカード側のアンテナでその電力波を受信して、ＩＣカード内のコンデンサに蓄えて、ＩＣカードの駆動電力として利用するものである。従って、ＩＣカードはリーダ／ライタに非常に近接させる必要がある。
【０００４】
上述した乗車券以外でも、電子マネー用のカード、社員証などの個人認証用のカードなどに、非接触ＩＣカードが使われつつある。非特許文献１は、この非接触ＩＣカードについて説明したものである。なお、非接触ＩＣカードは必ずしもカード型の形状である必要はないが、本明細書では、この種の非接触で近距離通信を行う構成のものを、非接触ＩＣカード或いはＩＣカードと称する。
【０００５】
【非特許文献１】
日経エレクトロニクス  ｎｏ．７９８  ５５〜６０頁  日経ＢＰ社  ２００１年６月１８日発行
【０００６】
【発明が解決しようとする課題】
ところで、非接触ＩＣカードは、ユーザが所持する携帯用の電子機器と一体化させたり、或いは、携帯用の電子機器にＩＣカードを装着できるようにすれば、該当する電子機器とＩＣカードとを個別に所持する必要がなくなり、ユーザにとっては便利である。このような一体化が想定される携帯用の電子機器の１つとして、携帯電話端末がある。
【０００７】
ところが、携帯電話端末は、電波を送受信する機器であり、携帯電話端末と非接触ＩＣカードとを一体化させたことを想定すると、ＩＣカードとリーダ／ライタとの間でやり取りされる無線信号が、携帯電話端末が基地局などとの無線電話用通信に使用する信号に悪影響を与える可能性が非常に高い。
【０００８】
一般には、携帯電話システムで使用されている無線信号の周波数帯域（例えば数百ＭＨｚから数ＧＨｚ）と、非接触ＩＣカードとリーダ／ライタとの間で伝送される無線信号の周波数帯域（例えば数十ＭＨｚ）とは、異なる周波数帯域としてある。ところが、非接触ＩＣカードとリーダ／ライタとの間で無線伝送される信号の高調波が、携帯電話システムで使用されている無線信号の妨害波となる可能性は高い。
【０００９】
従って、携帯電話端末にこの種の非接触通信用のＩＣカードの機能を内蔵させる場合には、ＩＣカードとしての無線通信周波数や制御部動作クロック周波数、携帯電話としての無線通信周波数や制御部動作クロック周波数に応じて、干渉防止用の専用の回路を端末に付加したり、或いは、携帯電話端末として機能する回路部分と、非接触ＩＣカードとして機能する回路部分とが、相互に干渉しないように機器の内部でシールドさせる等の対処が必要であり、機器構成が複雑化する問題があった。
【００１０】
本発明はかかる点に鑑みてなされたものであり、携帯電話端末に非接触ＩＣカード機能を組み込んだ場合の、相互干渉を簡単に防止できるようにすることを目的とする。
【００１１】
【課題を解決するための手段】
本発明の無線通信方法は、所定の局との間で双方向の第１の無線通信を行う機能と、非接触で近接したリーダ／ライタとの間で双方向の第２の無線通信を行う機能とを実行する無線通信方法において、リーダ／ライタとの第２の無線通信の開始を検出した場合に、所定の局との第１の無線通信での送信データの出力を一時停止させるようにしたものである。
【００１２】
また本発明の無線通信端末は、所定の局との間で双方向の第１の無線通信を行う第１の無線通信処理部と、非接触で近接したリーダ／ライタとの間で双方向の第２の無線通信を行う第２の無線通信処理部と、リーダ／ライタとの第２の無線通信の開始を検出した場合に第１の無線通信処理部での送信データの出力を一時停止させる制御部とを備えたものである。
【００１３】
このようにしたことで、リーダ／ライタとの通信により生じる信号で、所定の局に送信される信号に妨害を与えることがあっても、所定の局への送信データの出力が一時停止しているので、所定の局に届くデータに妨害波によるエラーなどが生じるのを阻止できる。
【００１４】
【発明の実施の形態】
以下、添付図面を参照して本発明の一実施の形態について説明する。
【００１５】
本例においては、携帯電話用に用意された所定の局（基地局）と双方向の無線通信を行う携帯電話端末に、非接触ＩＣカード機能を組み込む構成としたものである。即ち、図１に示すように、本例の携帯電話端末１００は、携帯電話部１１０と非接触ＩＣカード機能部１２０とを備える。携帯電話部１１０と非接触ＩＣカード機能部１２０との間は、携帯電話・ＩＣカード間通信インターフェース１３０で接続してあり、相互にデータ転送が行える構成としてある。非接触ＩＣカード機能部１２０については、携帯電話端末１００に一体的に組み込まれた構成としても良いが、例えば端末１００にカードスロットを設けて、そのカードスロットに、非接触ＩＣカード機能部１２０として機能するＩＣカードを装着させて、同様の構成としても良い。
【００１６】
携帯電話部１１０は、携帯電話用の基地局１４０などと双方向の無線通信を行うものである。即ち、この基地局１４０と無線通信を行うためのアンテナ１１１を備え、アンテナ１１１がアンテナ共用器１１２を介して変調器１１３及び復調器１１４と接続してあり、変調器１１３で送信用に変調処理された信号を、アンテナ１１１から無線送信させ、アンテナ１１１で受信した信号を、復調器１１４で復調処理する。変調器１１３での変調処理及び復調器１１４での復調処理は、この携帯電話端末が適用される無線電話システムで決められた処理が実行される。具体的には、例えば、ＣＤＭＡ（Ｃｏｄｅ  Ｄｉｖｉｓｉｏｎ  Ｍｕｌｔｉｐｌｅ  Ａｃｃｓｅｓｓ：符号分割多元接続）方式，ＴＤＭＡ（Ｔｉｍｅ  Ｄｉｖｉｓｉｏｎ  Ｍｕｌｔｉｐｌｅ  Ａｃｃｓｅｓｓ：時分割多元接続）方式などの、適用される無線電話システムで決められた処理方式に基づいた変調及び復調が実行される。ここでは、ＣＤＭＡ方式を適用した無線電話システムの１つである、Ｗ−ＣＤＭＡ（Ｗｉｄｅｂａｎｄ−ＣＤＭＡ  ）方式の電話端末としてある。
【００１７】
変調器１１３に供給する送信信号は、制御部１１５内で生成させる。また、復調器１１４で復調された受信信号についても、制御部１１５に供給する。制御部１１５は、この携帯電話端末の動作を制御する制御手段である中央制御ユニット（ＣＰＵ）１１７を備えて、この制御部１１５に接続された入出力部１１６と、変調器１１３及び復調器１１４との間のデータ転送を制御する。
【００１８】
入出力部１１６としては、例えばこの携帯電話端末１００が音声通話を行う端末である場合には、マイクロホン及びスピーカを備える。各種データを扱う端末である場合には、そのデータの入力及び出力を行う回路を備える。マイクロホン及びスピーカを備えた入出力部１１６の場合には、マイクロホンが拾って出力する音声データを制御部１１５に供給し、ＣＰＵ１１７の制御に基づいて、その音声データに制御データなどを付加して、パケット構造化された送信信号とし、その送信信号を変調器１１３に供給する。また、制御部１１５では、復調器１１４で復調されたパケット構造化された受信信号から、音声データや制御データなどを抽出して、音声データについては、入出力部１１６が備えるスピーカに供給して出力させ、制御データについては、ＣＰＵ１１７に供給する。
【００１９】
この場合、入出力部１１６から供給される送信用のデータについては、制御部１１５が備える送信バッファ１１９に一時蓄積させ、その送信バッファ１１９に蓄積されたデータを使用して、送信用のパケットを生成させて、変調器１１３に供給する構成としてある。なお制御部１１５は、非接触ＩＣカード機能部１２０との間でデータ転送を行うための外部インターフェース１１８を備える。
【００２０】
ここで、送信バッファ１１９の出力データに制御データが付加される構成を、図２に示すと、前段の回路（入出力部１１６）から送信バッファ１１９の入力端子１１９ａに供給されるデータを、送信バッファ１１９内のメモリに蓄積させ、その送信バッファ１１９に蓄積されたデータを、受信に乗算器１６１を介して直交変調器１６２に供給し、この直交変調器１６２で制御データと重畳される。入力端子１６３に得られる制御データについては、乗算器１６４及び１６５を介して直交変調器１６２に供給する。
【００２１】
送信バッファ１１９から出力される送信データについては、ユーザデータ送信チャンネル（Ｄｅｄｉｃａｔｅｄ  Ｐｈｙｓｉｃａｌ  Ｄａｔａ  Ｃｈａｎｎｅｌ：ＤＰＤＣＨ  ）として出力され、乗算器１６１で送信電力に対応したゲイン係数βｄが乗算される。この乗算器１６１の出力が、Ｉチャンネルの信号として直交変調器１６２に供給される。
【００２２】
入力端子１６２に得られる制御データについては、制御データ送信チャンネル（Ｄｅｄｉｃａｔｅｄ  Ｐｈｙｓｉｃａｌ  Ｃｏｎｔｒｏｌ  Ｃｈａｎｎｅｌ：ＤＰＣＣＨ）として出力され、乗算器１６４で送信電力に対応したゲイン係数βｃが乗算され、乗算器１６５で直交するＱチャンネルとされて、直交変調器１６２に供給される。
【００２３】
直交変調器１６２では、Ｉチャンネル信号とＱチャンネル信号とが直交変調されて送信信号（Ｉ＋ｊ・Ｑ）となり、その送信信号が変調器１１３に供給される。ここで、送信バッファ１１９から出力される送信データ（ユーザデータ）のデータ量に応じて、乗算器１６１で乗算するゲイン係数βｄを可変設定して、伝送レートを可変設定できるようにしてある。例えば、送信すべきユーザデータが全くない状況では、ゲイン係数βｄを０に設定して、直交変調器１６２が出力する送信信号として、制御データ送信チャンネル（ＤＰＣＣＨ  ）の信号だけとなるようにしてあり、ユーザデータがある場合には、そのときの送信電力に応じたゲイン係数βｄを設定する。このユーザデータのゲインを０に設定した状態が、この携帯電話端末１００の送信電力を最低にした状態である。実際に送信処理を行う際には、ＣＰＵ１１７などの制御に基づいて、送信バッファ１１９に一時蓄積されるデータ量がある一定の範囲内になるような制御を行う輻輳管理機能（フロー制御とも称される）を行うようにしてある。このフロー制御の詳細については後述する。
【００２４】
なお、本例の携帯電話端末１００の携帯電話部１１０で通信を行う際の、ソフトウェア階層モデルについては、例えば図３に示す構成となっている。即ち、ハードウェア部分２０１の上に、ソフトウェアによる複数のレイヤが用意されている。具体的には、ハードウェア部分２０１の上の層として物理レイヤ（Ｌａｙｅｒ１）２０２が用意されている。物理レイヤ２０２は、ハードウェア部分２０１へのリード，ライト処理や割り込み処理（割り込みハンドラ処理ともいう）を行い、データリンクレイヤ（Ｌａｙｅｒ２）２０３に機能提供する。データリンクレイヤ２０３は、送信するデータパケットの順序・優先度管理、再送管理、輻輳管理を行い、ネットワークレイヤ（Ｌａｙｅｒ３）２０４に機能提供する。ネットワークレイヤ２０４は、通信呼制御や端末移動管理や無線資源管理を行い、アプリケーションレイヤ２０５に機能提供する。アプリケーションレイヤ２０５は、携帯電話のユーザインターフェース、電話機能や各種アプリケーションを実現する。
【００２５】
データリンクレイヤ（Ｌａｙｅｒ２）２０３は、送信データパケット輻輳管理機能として、送信バッファを管理している。具体的には、例えば送信要求増大に伴い、送信バッファに一定量以上の未送信パケットが溜まると、データリンクレイヤ２０３は、上位レイヤに対して送信一時停止要求（Ｘ  ｏｆｆ  ）を発行する。また、送信処理が追いついて、送信バッファの一定量以下に未送信パケットが納まった場合には、データリンクレイヤ２０３は、上位レイヤに対して送信一時停止解除要求（Ｘ  ｏｎ）を発行する。このようなデータリンクレイヤ２０３での処理により、上述したフロー制御が実行される。
【００２６】
次に、図１に示した携帯電話端末１００の非接触ＩＣカード機能部１２０について説明する。非接触ＩＣカード機能部１２０の構成としては、近接通信ループアンテナ１２１が、通信部１２２に接続してある。ここで、例えば近接通信ループアンテナ１２１が外部のカードリーダ／ライタ１５０と数ｃｍから数十ｃｍ程度の距離に近接したとき、そのリーダ／ライタ１５０から供給される電力波をアンテナ１２１が受信して、その電力波の受信信号を、通信部１２２内のコンデンサ（図示せず）に供給して充電させて、その充電信号を通信部１２２の駆動電源として使用する構成としてある。従って、非接触ＩＣカード機能部１２０は、カードリーダ／ライタ１５０に近接したとき、自動的に通信が開始される。
【００２７】
そして、電力波に重畳されたデータを、通信部１２２内で取り出す受信処理を行うと共に、通信部１２２で生成された送信信号を近接通信ループアンテナ１２１に送り、リーダ／ライタ１５０側に無線通信で送信することもできる。この送信処理についても、リーダ／ライタ１５０から送られた電力波に基づいた電源を使用して実行される。通信部１２２には、制御部１２３が接続してあり、リーダ／ライタ１５０側から無線伝送されたデータの判別処理や、リーダ／ライタ１５０側に無線伝送するデータの生成処理などが行われる。
【００２８】
ここでは非接触ＩＣカード機能部１２０の具体的な用途については特に示さないが、少なくとも非接触ＩＣカードとして機能するための識別データが制御部１２３にはセットしてあり、その識別データを直接又は暗号化して、リーダ／ライタ１５０に送るようにしてある。また、リーダ／ライタ１５０から送られたデータの内の必要なデータを、制御部１２３が記憶するようにしてある。
【００２９】
制御部１２３は、外部インターフェース１２４を備え、携帯電話・ＩＣカード間通信インターフェース１３０を介して、携帯電話部１１０側の制御部１１５内の外部インターフェース１１８とデータ転送を行う構成としてあり、非接触ＩＣカード機能部１２０と携帯電話部１１０との間で相互にデータ転送が行える。
【００３０】
次に、本例の携帯電話端末１００が、カードリーダ／ライタ１５０に近接して、このカードリーダ／ライタ１５０と通信を行う際の処理を、図４以降のフローチャートを参照して説明する。
【００３１】
まず、携帯電話端末１００の非接触ＩＣカード機能部１２０での通信が開始する際の処理を、図４のフローチャートに基づいて説明する。非接触ＩＣカード機能部１２０の通信部１２２で、リーダ／ライタからの信号を受信すると（ステップＳ１１）、非接触ＩＣカード機能部１２０内の制御部１２３より、外部インターフェース１２４を経由して、携帯電話部１１０側の制御部１１５に、割り込み開始要求を送る（ステップＳ１２）。
【００３２】
この割り込み開始要求が携帯電話部１１０側の制御部１１５に届くと、ＣＰＵ１１７に割り込み通知が届く（ステップＳ１３）。ＣＰＵ１１７で割り込みが発生すると、割り込みハンドラが起動されて、割り込み要因（ここではＩＣカード通信開始）が認定され（ステップＳ１４）、データリンクレイヤを制御するパラメータとして、強制輻輳モード開始を設定して（ステップＳ１５）、非接触ＩＣカード機能の通信開始時の処理を終了する。なお、強制輻輳モードは通常時には設定されていないモードである。
【００３３】
次に、非接触ＩＣカード機能部１２０での通信が終了する際の処理を、図５のフローチャートに基づいて説明する。非接触ＩＣカード機能部１２０の通信部１２２で、リーダ／ライタとの通信が終了すると（ステップＳ２１）、非接触ＩＣカード機能部１２０内の制御部１２３より、外部インターフェース１２４を経由して、携帯電話部１１０側の制御部１１５に、割り込み終了要求を送る（ステップＳ２２）。
【００３４】
この割り込み終了要求が携帯電話部１１０側の制御部１１５に届くと、ＣＰＵ１１７に割り込み通知が届く（ステップＳ２３）。ＣＰＵ１１７で割り込みが発生すると、割り込みハンドラが起動されて、割り込み要因（ここではＩＣカード通信終了）が認定され（ステップＳ２４）、データリンクレイヤを制御するパラメータとして、強制輻輳モード終了を設定して（ステップＳ２５）、非接触ＩＣカード機能の通信終了時の処理を終了する。
【００３５】
次に、携帯電話部１１０側のデータリンクレイヤ（Ｌａｙｅｒ２）２０３での、送信パケットの送信バッファ１１９への受信処理を、図６のフローチャートを参照して説明する。データリンクレイヤで送信パケット（パケット化された送信データ：例えば音声パケット，データパケットなど）を上位レイヤから受信したことを検出すると（ステップＳ３１）、現在の動作モードで強制輻輳モードが設定されているか否か判断する（ステップＳ３２）。この判断で、強制輻輳モードが設定されている場合には、送信一時停止を上位レイヤに要求する（ステップＳ３３）。ステップＳ３２で強制輻輳モードが設定されていると判断する場合としては、例えば、図４のフローチャートのステップＳ１５で設定した非接触ＩＣカード通信が開始された場合が想定される。
【００３６】
ステップＳ３２の判断で、強制輻輳モードが設定されていない場合には、送信バッファのデータ蓄積量が、送信停止開始閾値を上回ったか否か判断し（ステップＳ３４）、送信停止開始閾値を上回った場合にも、ステップＳ３３に移って、送信一時停止を上位レイヤに要求する。さらに、ステップＳ３４の判断で、送信停止開始閾値を上回ってない場合には、受信した送信パケットを、送信バッファ１１９に蓄積させる（ステップＳ３５）。
【００３７】
次に、このようにして送信バッファ１１９に蓄積されたデータについての、データリンクレイヤでの送信処理を、図７のフローチャートを参照して説明する。
パケットを送信設定するタイミングは、一般には一定の周期で設定するようにしてあり、そのパケットを送信するタイミングになると（ステップＳ４１）、現在の動作モードが強制輻輳モードか否か判断する（ステップＳ４２）。ここで、強制輻輳モードが設定されている場合には、ここでの送信処理を終了し、次のパケット送信タイミングになるまで待機する。そして、ステップＳ４２で強制輻輳モードでないと判断した場合には、送信バッファにデータの残りがあるか否か判断する（ステップＳ４３）。ここで、送信バッファにデータの残りがない場合にも、ここでの送信処理を終了し、次のパケット送信タイミングになるまで待機する。
【００３８】
そして、ステップＳ４３で送信バッファにデータの残りがあると判断した場合、送信バッファに蓄積されたデータをバッファから出力させて、その出力させたデータを送信処理させる（ステップＳ４４）。その後、送信バッファの送信停止解除閾値を下回ったか否か判断し（ステップＳ４５）、送信解除閾値を下回るまでステップＳ４４での送信処理を行い、送信解除閾値を下回った場合には、データリンクレイヤ２０３は送信一時停止解除要求を、上位レイヤに通知し（ステップＳ４６）、このタイミングでの送信処理を終了する。なお、ここでは送信パケットの受付処理（図６）と送信処理（図７）とを、非同期の個別の処理として記載したが、これら２つの処理を一例の処理として実行するようにしても良い。
【００３９】
以上説明したように、本例の携帯電話端末１００の携帯電話部１１０での送信処理を実行することで、この端末１００に組み込まれた非接触ＩＣカード機能部１２０での通信が開始されると、直ちに強制輻輳モードが設定されて、携帯電話部１１０内の送信バッファへの送信データの入力処理が停止し、この端末１００から基地局へのユーザデータの送信が停止するようになる。従って、非接触ＩＣカード機能部１２０での通信と、携帯電話部１１０での通信とが干渉しなくなり、両通信部が同時に作動することによる電波干渉を著しく低減させることができる。
【００４０】
そして、非接触ＩＣカード機能部１２０での通信が終了すると、直ちに強制輻輳モードが解除されて、携帯電話部１１０内の送信バッファへの送信データの入力処理が再開されて、端末１００から基地局へのユーザデータの送信が再開されるようになる。通常、非接触ＩＣカード機能部１２０とカードリーダ／ライタとの通信は、１秒前後の非常に短時間で完了する通信であり、例えば音声パケットを送る場合には、リーダ／ライタとの通信中の僅かな時間だけ無音状態となるだけであり、データパケットを送る場合にも、僅かな遅延が生じるだけであり、無線電話通信を行う上で大きな障害になることはない。
【００４１】
また、非接触ＩＣカード機能部１２０での通信時に送信が停止するのは、音声パケットやデータパケットなどのユーザデータだけであり、図２を参照して説明したように、制御データについては、継続して送信が実行されるので、基地局と端末１００との無線電話回線の接続状態は維持され、通信一時停止による回線切断などの事故を防止できる。さらに、ユーザデータの送信を停止させた状態では、送信電力が最低になる状態で送信することになり、最低の伝送レートで送信する状態となり、非接触ＩＣカード機能部１２０とリーダ／ライタとの通信に与える干渉を最低限に抑えることにも貢献する。
【００４２】
そして本例においては、干渉防止処理として、携帯電話端末内の携帯電話用の通信処理部が元々持つ、送信バッファのフロー制御機能を利用して、送信の一時停止処理を行うようにしたので、回路的には全く新規の回路が必要ないと共に、通信を制御するソフトウェア的にも、元々のレイヤが持つ強制輻輳モードの機能を若干修正するだけで良く、非常に簡単に実現でき、携帯電話端末の低コスト化や小型化に貢献する。
【００４３】
また、上述した実施の形態では、非接触ＩＣカード機能部での通信が開始したとき、送信を停止させる処理を行い、非接触ＩＣカード機能部での通信が終了したとき、送信を再開させる処理を行うようにしたが、非接触ＩＣカード機能部での通信に要する時間はほぼ一定の時間（例えば１秒程度の時間ｔ）であるとみなして、非接触ＩＣカード機能部での通信が開始してから、その時間ｔが経過するまでの時間だけ、送信を停止させるように構成しても良い。このようにすることで、非接触ＩＣカード機能部での通信が終了したときの制御処理が必要なくなる。
【００４４】
また、上述した実施の形態では、Ｗ−ＣＤＭＡ方式の携帯電話端末に非接触ＩＣカード機能部を組み込んだ例について説明したが、その他の方式の携帯電話端末に、非接触ＩＣカード機能部を組み込む構成のものにも適用可能であることは勿論である。
【００４５】
【発明の効果】
本発明によると、リーダ／ライタとの通信により生じる信号で、所定の局に送信される信号に妨害を与えることがあっても、所定の局への送信データの出力が一時停止しているので、所定の局に届くデータに妨害波によるエラーなどが生じるのを阻止でき、１台の携帯電話端末内に非接触ＩＣカード機能を組み込んだ場合における干渉防止を、専用の回路やシールド機構などを設けることなく簡単な構成や処理で効果的に実現できる。
【００４６】
この場合、一時停止の処理は、送信データを一時蓄積させるバッファへの送信データ入力を停止させる処理としたことで、送信データの出力だけを簡単に一時停止させることができる。
【００４７】
また、バッファに蓄えられたデータがなくなった場合でも、第１の通信によるパケットの送信は継続して行うことで、所定の局との無線通信の接続が維持され、送信データの出力が再開したときの処理が簡単になる。
【００４８】
また、データがない状態で送信させるパケットは、最も低い伝送レートで送信することで、データ出力一時停止時の無線伝送路の使用効率を向上させることが可能になる。
【００４９】
また、非接触ＩＣカード機能による無線通信の終了を検出した場合に、送信データの一時停止処理を解除することで、直ちに所定の局との通信によるデータ転送を再開できるようになる。
【００５０】
さらに、非接触ＩＣカード機能による無線通信は、リーダ／ライタからの電力波による電力で作動するようにしたことで、例えばリーダ／ライタからの電力波の検出を、そのリーダ／ライタとの無線通信の開始と判断することができ、容易に無線通信の開始を判断できるできるようになる。
【図面の簡単な説明】
【図１】本発明の一実施の形態による携帯電話端末の構成例を示すブロック図である。
【図２】本発明の一実施の形態による送信データの処理構成例を示すブロック図である。
【図３】本発明の一実施の形態による通信レイヤ構成例を示すブロック図である。
【図４】本発明の一実施の形態によるＩＣカード通信開始の処理例を示すフローチャートである。
【図５】本発明の一実施の形態によるＩＣカード通信終了の処理例を示すフローチャートである。
【図６】本発明の一実施の形態によるレイヤ２での送信パケット受信処理例を示すフローチャートである。
【図７】本発明の一実施の形態によるレイヤ２での送信パケット送信処理例を示すフローチャートである。
【符号の説明】
１００…携帯電話端末、１１０…携帯電話部、１１１…アンテナ、１１２…アンテナ共用器、１１３…変調器、１１４…復調器、１１５…制御部、１１６…入出力部、１１７…中央制御ユニット（ＣＰＵ）、１１８…外部インターフェース、１１９…送信バッファ、１１９ａ…送信データ入力端子、１２０…非接触ＩＣカード機能部、１２１…近接通信ループアンテナ、１２２…通信部、１２３…制御部、１２４…外部インターフェース、１３０…携帯電話・ＩＣカード間通信インターフェース、１４０…携帯電話基地局、１５０…カードリーダ／ライタ、１６１…乗算器、１６２…加算器、１６３…制御データ入力端子、１６４，１６５…乗算器、２０１…ハードウェア部分、２０２…物理レイヤ、２０３…データリンクレイヤ、２０４…ネットワークレイヤ、２０５…アプリケーションレイヤ
【図１】
2004222198.tif 000003
【図２】
2004222198.tif 000004
【図３】
2004222198.tif 000005
【図４】
2004222198.tif 000006
【図５】
2004222198.tif 000007
【図６】
2004222198.tif 000008
【図７】
2004222198.tif 000009